(57)【要約】【課題】直線スリーブカバーを絶縁ヤットコによって架空電線同士の接続部に円滑に取り付けることを可能にする直線スリーブカバー取付補助具の提供を目的とする。【解決手段】直線スリーブカバー取付補助具１は、絶縁性材料で形成された筒状の直線スリーブカバー８で、且つ両開口端８ａ側がスリット２３で二分されて拡開できるようになっている直線スリーブカバー８を、一対の架空電線の一方の端部に固定された筒状のスリーブに嵌合するため、絶縁ヤットコ２の開閉可能な一対の把持金具３，３のそれぞれに対向するように取り付けて使用される。この直線スリーブカバー取付補助具１は、絶縁ヤットコ２の一対の把持金具３，３が開く方向へ操作されると、一対の把持金具３，３と一体になって移動し、折り返し部１０が直線スリーブカバー８の開口端８ａの内周面側に引っ掛けられて、直線スリーブカバー８の開口端８ａ側を拡開させる。【選択図】図１
2018007508.tif 000002
【特許請求の範囲】
【請求項１】
絶縁性材料で形成された筒状の直線スリーブカバーで、且つ両開口端側がスリットで二分されて拡開できるようになっている直線スリーブカバーを、一対の架空電線の一方の端部に固定された筒状のスリーブに嵌合するため、絶縁ヤットコの開閉可能な一対の把持金具のそれぞれに対向するように取り付けて使用される直線スリーブカバー取付補助具であって、
筒状体を中心軸に沿って二分するように形成された取付補助具本体部と、
前記直線スリーブカバーの前記開口端の内周面側に係合すると共に、前記直線スリーブカバーの前記開口端を突き当てることが可能な折り返し部と、を有し、
前記絶縁ヤットコの前記一対の把持金具が開く方向へ操作されると、前記一対の把持金具と一体になって移動し、前記折り返し部が前記直線スリーブカバーの前記開口端の内周面側に引っ掛けられて、前記直線スリーブカバーの前記開口端側を拡開させる、
ことを特徴とする直線スリーブカバー取付補助具。
【請求項２】
前記取付補助具本体部の前記中心軸に沿った一端側には、前記絶縁ヤットコの一対の把持金具のいずれか一方に接続ホルダを介して着脱可能に取り付けられる舌片状の取付部が形成され、
前記取付補助具本体部の前記中心軸に沿った他端側には、前記折り返し部が形成された、
ことを特徴とする請求項１に記載の直線スリーブカバー取付補助具。
【請求項３】
前記取付補助具本体部の前記中心軸に沿った一端側で、且つ前記取付補助具本体部の内周面側には、前記直線スリーブカバーの外周面に弾性接触する突起が設けられ、
前記突起は、前記取付補助具本体部よりも柔らかくて弾性変形可能な材料で形成された、
ことを特徴とする請求項２に記載の直線スリーブカバー取付補助具。
【発明の詳細な説明】
【技術分野】
【０００１】
この発明は、架空電線同士を接続するスリーブを絶縁性材料製の直線スリーブカバーで包被するために使用される直線スリーブカバー取付補助具であって、絶縁ヤットコ（間接活線工具）の先端に取り付けられて操作される直線スリーブカバー取付補助具に関するものである。
【背景技術】
【０００２】
図１５は、架空電線１００，１００同士の接続部を示す図である。この図１５に示すように、架空電線１００，１００同士の接続部は、一対の架空電線１００，１００の端部の被覆１０１，１０１を剥離し、一対の架空電線１００，１００の端部に裸電線１０２，１０２を露出させ、この一対の裸電線１０２，１０２を突き合わせるようにして導電性金属材料製のスリーブ１０３内に挿入した後、スリーブ１０３を図示しない加圧工具でかしめることによって、一対の裸電線１０２，１０２とスリーブ１０３を固定し、一対の裸電線１０２，１０２をスリーブ１０３を介して電気的に接続している。その後、図１５に示すように、スリーブ１０３には、絶縁性の合成樹脂材料で形作られた筒状の直線スリーブカバー１０４が被せられている。
【０００３】
図１６（ａ）に示すように、架空電線１００，１００同士の接続部に配置される直線スリーブカバー１０４は、図示しない絶縁ヤットコで把持された状態で、先ず、一対の架空電線１００，１００のうちの一方に固定されたスリーブ１０３の先端部から一対の架空電線１００，１００のうちの一方側に挿入される。そして、この直線スリーブカバー１０４は、図１６（ｂ）に示すように、一対の架空電線１００，１００のうちの他方とスリーブ１０３とを嵌合固定するため、スリーブ１０３の長さ方向の半分以上が露出する位置まで一対の架空電線１００，１００のうちの一方側に絶縁ヤットコで保持されて挿入される。その後、直線スリーブカバー１０４は、一対の架空電線１００，１００のうちの他方がスリーブ１０３に嵌合固定されると、スリーブ１０３を包被する位置まで絶縁ヤットコで保持されてスライド移動させられる（図１５参照）。
【０００４】
このような直線スリーブカバー１０４は、一対の架空電線１００，１００のうちの一方に固定されたスリーブ１０３の先端部から一対の架空電線１００，１００のうちの一方側に挿入される際に（図１６参照）、先端開口部１０５ａ側の電線摺接部１０６ａがスリーブ１０３の外周面及び架空電線１００の外周面に摺接し、後端開口部１０５ｂ側の電線摺接部１０６ｂがスリーブ１０３の外周面に摺接し、大きな摩擦抵抗が作用するため、絶縁ヤットコの把持部との間に滑りが生じやすく、スムーズな取付作業が困難であった。
【０００５】
図１７（ａ）に示す直線スリーブカバー１１０は、上述のような問題を解消するために案出されたものであり、絶縁ヤットコの把持部を引っ掛けて押すことができるリング状の突起１１１を外周面１１０ａに形成している（特許文献１参照）。
【先行技術文献】
【特許文献】
【０００６】
【特許文献１】特開２００４−１４２２１号公報
【発明の概要】
【発明が解決しようとする課題】
【０００７】
しかしながら、図１７（ａ）に示す直線スリーブカバー１００は、絶縁ヤットコの把持部が滑って突起１１１から離れ易いため、絶縁ヤットコの把持部で強く把持されて変形し、スリーブ１０３又は架空電線１００に強く押し付けられ（図１７（ｂ）参照）、スリーブ１０３又は架空電線１００に沿ったスムーズなスライド移動が困難であり、架空電線１００，１００同士の接続部への取付作業の容易化が未だ不十分であった。
【０００８】
そこで、本発明は、直線スリーブカバーを絶縁ヤットコによって架空電線同士の接続部に円滑に取り付けることを可能にする直線スリーブカバー取付補助具の提供を目的とする。
【課題を解決するための手段】
【０００９】
本発明は、絶縁性材料で形成された筒状の直線スリーブカバー８で、且つ両開口端８ａ，８ａ側がスリット２３で二分されて拡開できるようになっている直線スリーブカバー８を、一対の架空電線２４，２４の一方の端部に固定された筒状のスリーブ２５に嵌合するため、絶縁ヤットコ２の開閉可能な一対の把持金具３，３のそれぞれに対向するように取り付けて使用される直線スリーブカバー取付補助具１に関するものである。
この発明に係る直線スリーブカバー取付補助具１は、
筒状体を中心軸４に沿って二分するように形成された取付補助具本体部５と、前記直線スリーブカバー８の前記開口端８ａの内周面側に係合すると共に、前記直線スリーブカバー８の前記開口端８ａを突き当てることが可能な折り返し部１０と、を有している。
そして、この発明に係る直線スリーブカバー取付補助具１は、前記絶縁ヤットコ２の前記一対の把持金具３，３が開く方向へ操作されると、前記一対の把持金具３，３と一体になって移動し、前記折り返し部１０が前記直線スリーブカバー８の前記開口端８ａの内周面側に引っ掛けられて、前記直線スリーブカバー８の前記開口端８ａ側を拡開させる。
【発明の効果】
【００１０】
本発明に係る直線スリーブカバー取付補助具は、直線スリーブカバーの開口端を拡げた状態でスリーブに嵌合させることができるので、直線スリーブカバー取付時の摩擦抵抗力を低減でき、直線スリーブカバーを絶縁ヤットコによって架空電線同士の接続部に円滑に取り付けることが可能になる。その結果、本発明に係る直線スリーブカバー取付補助具によれば、架空電線同士の接続部への取付作業が容易になる。
【図面の簡単な説明】
【００１１】
【図１】本発明の第１実施形態に係る直線スリーブカバー取付補助具の取付状態を示す図であり、図１（ａ）が絶縁ヤットコの一対の把持金具を閉じた状態の直線スリーブカバー取付補助具の外側面図、図１（ｂ）が図１（ａ）の矢印Ｂ１方向に沿って見た図、図１（ｃ）が図１（ｂ）のＡ１−Ａ１線に沿って切断して示す断面図である。
【図２】本発明の第１実施形態に係る直線スリーブカバー取付補助具を示す図であり、図２（ａ）が直線スリーブカバー取付補助具の正面図、図２（ｂ）が直線スリーブカバー取付補助具の内側面図、図２（ｃ）が直線スリーブカバーの外側面図である。
【図３】絶縁ヤットコを示す図であり、図３（ａ）が絶縁ヤットコの正面図、図３（ｂ）が図３（ａ）のＢ３方向から見た把持金具の側面図である。
【図４】直線スリーブカバーを示す図であり、図４（ａ）が直線スリーブカバーの平面図、図４（ｂ）が直線スリーブカバーの側面図である。
【図５】直線スリーブカバーを示す図であり、図５（ａ）が直線スリーブカバーの端部平面図、図５（ｂ）が直線スリーブカバーの端部側面図、図５（ｃ）が直線スリーブカバーの端部断面図（図５（ａ）のＡ２−Ａ２線に沿って切断して示す図）、図５（ｄ）が直線スリーブカバーの正面図である。
【図６】直線スリーブカバーの使用状態を示す図である。
【図７】直線スリーブカバーの取付作業の第１段階を示す図である。
【図８】直線スリーブカバーの取付作業の第２段階を示す図である。
【図９】直線スリーブカバーの取付作業の第３段階を示す図である。
【図１０】図１０（ａ−１）は一対の直線スリーブカバー取付補助具の閉じた状態を示す正面図、図１０（ａ−２）は一対の直線スリーブカバー取付補助具の閉じた状態を示す平面図、図１０（ｂ−１）は一対の直線スリーブカバー取付補助具の開いた状態を示す正面図、図１０（ｂ−２）は一対の直線スリーブカバー取付補助具の開いた状態を示す平面図である。
【図１１】図１１（ａ）は直線スリーブカバーの開口端側が閉じた状態を示す図であり、図１１（ｂ）は直線スリーブカバーの開口端側が開いた状態を示す図である。
【図１２】本発明の第２実施形態に係る直線スリーブカバー取付補助具を示す図であり、図１に対応する図である。
【図１３】本発明の第３実施形態に係る直線スリーブカバー取付補助具を示す図であり、図１に対応する図である。
【図１４】本発明の第４実施形態に係る直線スリーブカバー取付補助具を示す図であり、図１４（ａ）が図１（ｂ）に対応し、図１４（ｂ）が図１（ｃ）に対応する図（図１４（ａ）のＡ５−Ａ５線に沿って切断して示す図）である。
【図１５】従来の架空電線同士の接続部を示す図である。
【図１６】図１６（ａ）は従来の直線スリーブカバーの第１取付作業を示す図であり、図１６（ｂ）は従来の直線スリーブカバーの第２取付作業を示す図である。
【図１７】従来の改良された直線スリーブカバーを示す図である。
【発明を実施するための形態】
【００１２】
以下、本発明の実施形態を図面に基づき詳述する。
【００１３】
［第１実施形態］
図１は、本発明の第１実施形態に係る直線スリーブカバー取付補助具１の取付状態を示す図である。また、図２は、本発明の第１実施形態に係る直線スリーブカバー取付補助具１を示す図である。なお、図１（ａ）は、図３に示す絶縁ヤットコ２の一対の把持金具３，３を閉じた状態の直線スリーブカバー取付補助具１の外側面図である。また、図１（ｂ）は、絶縁ヤットコ２の一対の把持金具３，３を閉じた状態の直線スリーブカバー取付補助具１，１の正面図であり、図１（ａ）の矢印Ｂ１方向に沿って見た図である。また、図１（ｃ）は、図１（ｂ）のＡ１−Ａ１線に沿って切断して示す断面図であり、直線スリーブカバー取付補助具１の内側面図である。また、図２（ａ）は、直線スリーブカバー取付補助具１の正面図である。また、図２（ｂ）は、直線スリーブカバー取付補助具１の内側面図である。また、図２（ｃ）は、直線スリーブカバー取付補助具１の外側面図である。
【００１４】
図１及び図２に示すように、直線スリーブカバー取付補助具１は、絶縁ヤットコ２の把持金具３と同一の金属材料又は合成樹脂材料で形成されており、筒状体を中心軸４に沿って二分するように形成された取付補助具本体部５を有している。また、直線スリーブカバー取付補助具１は、取付補助具本体部５の中心軸４に沿った一端側に、絶縁ヤットコ２の一対の把持金具３，３の一方に接続ホルダ６で着脱可能に取り付けられる舌片状の取付部が取付補助具本体部５の径方向外方側へ向けて突出するように一体に形成されている。また、直線スリーブカバー取付補助具１は、取付補助具本体部５の中心軸４に沿った他端側に、直線スリーブカバー８の開口端（先端）８ａの内周面側に係合されると共に、直線状スリーブカバー８の開口端８ａを突き当てることが可能な折り返し部１０が一体に形成されている。そして、このような直線スリーブカバー取付補助具１は、絶縁ヤットコ２の一対の把持金具３，３に、対向するように一対取り付けられている。
【００１５】
直線スリーブカバー取付補助具１の取付補助具本体部５は、取付部７が一体に形成される半円筒状部分５ａと、この半円筒部分５ａから遠ざかるに従って外径寸法を漸減するテーパ状部分５ｂと、を有している。そして、テーパ状部分５ｂの端部には、折り返し部１０が一体形成されている。折り返し部１０は、図１（ｃ）及び図２（ｂ）に示すように、断面形状が略Ｌ字形状になっており、テーパ状部分５ｂの端部から径方向内方へ延びる径方向壁１０ａと、この径方向壁１０ａの径方向内方端から中心軸４に沿って内側（図中右側）へ折れ曲がる円周壁１０ｂと、を有している。この折り返し部１０の径方向壁１０ａには直線スリーブカバー８の開口端８ａが突き当てられ、折り返し部１０の内周壁１０ｂには直線スリーブカバー８の開口端８ａの内周面側が係合される。
【００１６】
直線スリーブカバー取付補助具１の取付部７は、絶縁ヤットコ２の把持金具３の爪部１１と共に接続ホルダ６の係合凹所１２内に収容される。そして、直線スリーブカバー取付補助具１は、取付部７に形成されたピン係合穴１３に接続ホルダ６の止めピン１４が挿入され、取付部７が把持金具３の爪部１１に固定される。なお、接続ホルダ６の止めピン１４は、図示しないばねによって係合凹所１２内に押し込まれるように付勢されており、把持金具３の爪部１１のピン挿入穴１５及び直線スリーブカバー取付補助具１の取付部７のピン係合穴１３に係合されるようになっている。そして、接続ホルダ６の止めピン１４は、接続ホルダ６の外部に露出したヘッド部１６を図示しないばねの付勢力に抗して引くことにより、把持金具３の爪部１１に形成したピン挿入穴１５及び直線スリーブカバー取付補助具１の取付部７に形成したピン係合穴１３から引き抜き、直線スリーブカバー取付補助具１を把持金具３から分離することを可能にする。接続ホルダ６の係合凹所１２は、直方体形状の凹みであり、平面視した形状が矩形形状の把持金具３の爪部１１及び直線スリーブカバー取付補助具１の取付部７をがたつきを生じることなく収容できるようになっている。その結果、一対の直線スリーブカバー取付補助具１，１は、絶縁ヤットコ２の把持金具３，３の開閉操作によって正確に開閉操作される。
【００１７】
図４及び図５は、直線スリーブカバー８を示す図である。なお、図４（ａ）は直線スリーブカバー８の平面図であり、図４（ｂ）は直線スリーブカバー８の側面図である。また、図５（ａ）は直線スリーブカバー８の端部平面図であり、図５（ｂ）は直線スリーブカバー８の端部側面図であり、図５（ｃ）は直線スリーブカバー８の端部断面図（図５（ａ）のＡ２−Ａ２線に沿って切断して示す図）であり、図５（ｄ）は直線スリーブカバー８の正面図である。
【００１８】
図４及び図５に示すように、直線スリーブカバー８は、絶縁性樹脂材料によって筒状に形成されており、大径円筒部１７の両端にテーパー状部１８が形成され、テーパー状部１８の端部に小径円筒部２０が形成されている。また、直線スリーブカバー８は、小径部円筒部２０の開口端８ａからテーパー状部１８と大径円筒部１７の接続部２１近傍まで中心軸２２に沿ってスリット２３が形成され、このスリット２３によって両開口端８ａ，８ａ側が二分されるようになっている。なお、この直線スリーブカバー８は、スリット２３によって二分される両開口端８ａ，８ａ側が作業者の指先で拡げることができる程度の強度に形成されている。
【００１９】
図６は、このような直線スリーブカバー８の使用状態を示す図である。この図６に示すように、直線スリーブカバー８は、一対の架空電線２４，２４の裸電線２４ａ，２４ａ同士を接続するスリーブ２５と、スリーブ２５の近傍に位置する一対の架空電線２４，２４とを包被するために使用される。そして、この直線スリーブカバー８は、小径円筒部２０が図示しない絶縁テープで架空電線２４に固定されている。
【００２０】
図７は、直線スリーブカバー８の取付作業の第１段階を示す図である。この図７に示すように、第１の絶縁ヤットコ２（２Ａ）の把持部２６の把持金具３，３には、直線スリーブカバー取付補助具１，１が接続ホルダ６，６によって固定されている。そして、第１の絶縁ヤットコ２（２Ａ）に固定された直線スリーブカバー取付補助具１には、直線スリーブカバー８の端部が係合されている（図１参照）。また、図７に示すように、一対の架空電線２４，２４の一方の端部に固定されたスリーブ２５は、第２の絶縁ヤットコ２（２Ｂ）の把持部２６で把持され、直線スリーブカバー８を挿入するための姿勢が第２の絶縁ヤットコ２（２Ｂ）で保持されている。この図７に示す状態において、第２の絶縁ヤットコ２（２Ｂ）で保持されたスリーブ２５の先端には、直線スリーブカバー取付補助具１を介して第１の絶縁ヤットコ２（２Ａ）に保持された直線スリーブカバー８の先端が係合される。なお、直線スリーブカバー８は、直線スリーブカバー取付補助具１に一端部が係合される前に、他端部の開口端８ａが作業者によって予め大きく開かれている。
【００２１】
図８は、直線スリーブカバー８の取付作業の第２段階を示す図である。この図８に示すように、直線スリーブカバー８の先端側の開口端（他端部の開口端）８ａが架空電線２４に固定されたスリーブ２５に挿入された後は、第２の絶縁ヤットコ２（２Ｂ）の把持部２６で直線スリーブカバー８を支持する。この際、第２の絶縁ヤットコ２（２Ｂ）の把持部２６は、開いた状態に保持され、直線スリーブカバー８を下から支えるように使用される（直線スリーブカバー８を把持部２６の把持力で潰すことがないように使用される）。これにより、直線スリーブカバー８は、直線スリーブカバー取付補助具１及びスリーブ２５に対して滑って脱落するようなことがない。そして、直線スリーブカバー取付補助具１及び直線状スリーブカバー８は、スリーブ２５の先端が直線スリーブカバー８のテーパー状部１８又は直線スリーブカバー取付補助具１の折り返し部１０に当接するまで第１の絶縁ヤットコ２（２Ａ）に保持され、且つ第２の絶縁ヤットコ２（２Ｂ）で支持された状態で移動させられる（図１０（ａ−１）、図１０（ａ−２）、図１１（ａ）参照）。
【００２２】
図９は、直線スリーブカバー８の取付作業の第３段階を示す図である。この図９に示すように、第１の絶縁ヤットコ２（２Ａ）の把持部２６が開かれて、一対の直線スリーブカバー取付補助具１，１が開かれることにより、直線スリーブカバー取付補助具１，１に係合された直線スリーブカバー８の一端部の開口端８ａ側が一対の直線スリーブカバー取付補助具１，１の折り返し部１０，１０に引っ掛けられて開かれ（図１（ｃ）、図１０（ｂ−１）、図１０（ｂ−２）、図１１（ｂ）参照）、直線スリーブカバー８がスリーブ２５に円滑に嵌合されると共に、直線スリーブカバー８が第２の絶縁ヤットコ２（２Ｂ）で支持された状態で第１の絶縁ヤットコ２（２Ａ）及び直線状スリーブカバー取付補助具１，１で図中右方向へ押し込まれ、スリーブ２５の右側半分以上が露出する。
【００２３】
次に、図９に示す状態において、スリーブ２５の左側から一対の架空電線２４の他方の裸電線２４ａを挿入し、スリーブ２５を加圧工具でかしめることにより、スリーブ２５と一対の架空電線２４の他方とを接続する（図６参照）。これにより、一対の架空電線２４，２４は、スリーブ２５を介して電気的に接続される。その後、直線スリーブカバー８は、第１の絶縁ヤットコ２（２Ａ）で支持されると共に、第２の絶縁ヤットコ２（２Ｂ）で把持されて、スリーブ２５を包被する位置まで移動させられる（図６参照）。そして、直線スリーブカバー８は、両端の小径円筒部２０が図示しない絶縁テープで一対の架空電線２４，２４のそれぞれに固定される（図６参照）。
【００２４】
以上のような構成の本実施形態に係る直線スリーブカバー取付補助具１は、直線スリーブカバー８の開口端８ａを拡げた状態でスリーブ２５に嵌合させることができるので、直線スリーブカバー８をスリーブ２５に嵌合させる際の摩擦抵抗力を低減でき、直線スリーブカバー８を絶縁ヤットコ２によって架空電線２４，２４同士の接続部に円滑に取り付けることが可能になる。その結果、本発明に係る直線スリーブカバー取付補助具１によれば、架空電線２４，２４同士の接続部への取付作業が容易になり、架空電線２４，２４同士の接続作業時間（停電時間）を短縮できると共に、作業者の疲労を軽減できる。
【００２５】
［第２実施形態］
図１２は、本発明の第２実施形態に係る直線スリーブカバー取付補助具１を示す図であり、図１に対応する図である。なお、図１２（ａ）は、図３に示す絶縁ヤットコ２の一対の把持金具３，３を閉じた状態の直線スリーブカバー取付補助具１の外側面図である。また、図１２（ｂ）は、絶縁ヤットコ２の一対の把持金具３，３を閉じた状態の直線スリーブカバー取付補助具１，１の正面図である。また、図１２（ｃ）は、図１２（ｂ）のＡ３−Ａ３線に沿って切断して示す断面図であり、直線スリーブカバー取付補助具１の内側面図である。
【００２６】
本実施形態に係る直線スリーブカバー取付補助具１は、取付補助具本体部５が第１実施形態に係る半円筒状部分５ａのみで形作られている点において、第１実施形態に係る直線スリーブカバー取付補助具１と相違するが、その他の構成が第１実施形態に係る直線スリーブカバー取付補助具１と共通する。このような構成の本実施形態に係る直線スリーブカバー取付補助具１は、第１実施形態に係る直線スリーブカバー取付補助具１と同様の効果を得ることができる。
【００２７】
［第３実施形態］
図１３は、本発明の第３実施形態に係る直線スリーブカバー取付補助具１を示す図であり、図１に対応する図である。なお、図１３（ａ）は、図３に示す絶縁ヤットコ２の一対の把持金具３，３を閉じた状態の直線スリーブカバー取付補助具１の外側面図である。また、図１３（ｂ）は、絶縁ヤットコ２の一対の把持金具３，３を閉じた状態の直線スリーブカバー取付補助具１，１の正面図である。また、図１３（ｃ）は、図１３（ｂ）のＡ４−Ａ４線に沿って切断して示す断面図であり、直線スリーブカバー取付補助具１の内側面図である。
【００２８】
本実施形態に係る直線スリーブカバー取付補助具１は、取付補助具本体部５の内周面５ｃ側で、且つ舌片状の取付部７の近傍に、取付補助具本体部５よりも柔らかくて弾性変形可能な材料（例えば、ゴム、発泡樹脂材料）で形成された突起２７が設けられている。この突起２７は、断面形状が半円形状であり、取付補助具本体部５の内周面５ｃの周方向に沿って設けられている。なお、本実施形態に係る直線スリーブカバー取付補助具１は、突起２７が設けられている点を除き、第１実施形態に係る直線スリーブカバー取付補助具１と同様の構成である。また、突起２７は、例えば、直線スリーブカバー取付補助具１の取付補助具本体部５に接着剤で固定される。
【００２９】
このような本実施形態に係る直線スリーブカバー取付補助具１は、第１実施形態に係る直線スリーブカバー取付補助具１と同様の効果を得ることができる。また、本実施形態に係る直線スリーブカバー取付補助具１は、直線スリーブカバー８との隙間を弾性変形可能な突起２７で埋めることができ、直線スリーブカバー８をがたつかせることなく収容できると共に、突起２７の弾性力で直線スリーブカバー８を保持でき、直線スリーブカバー８の脱落を防止できる。また、本実施形態に係る直線スリーブカバー取付補助具１は、外径寸法の異なる複数の直線スリーブカバー８を弾性変形可能な突起２７で弾性的に保持することができるため、外径寸法の異なる複数の直線スリーブカバー８に対して共通して使用することが可能になる（外径寸法の異なる複数の直線スリーブカバー８毎に用意する必要がなくなる）。なお、突起２７は、取付補助具本体部５の内周面５ｃの周方向に連続して形成されているが、これに限られず、取付補助具本体部５の内周面５ｃの周方向に島状に複数設けてもよい。
【００３０】
［第４実施形態］
図１４は、本発明の第４実施形態に係る直線スリーブカバー取付補助具１を示す図であり、図１４（ａ）が図１（ｂ）に対応し、図１４（ｂ）が図１（ｃ）に対応する図（図１４（ａ）のＡ５−Ａ５線に沿って切断して示す図）である。
【００３１】
本実施形態に係る直線スリーブカバー取付補助具１は、取付補助具本体部５の外径寸法が大きく、一対の把持金具３，３を閉じる際に、取付補助具本体部５が一対の把持金具３，３の内側に衝突し、一対の把持金具３，３を完全に閉じることが困難な場合、舌片状の取付部７を中心軸４に沿って延ばし、取付補助具本体部５が絶縁ヤットコ２の把持金具３と接触しない位置まで中心軸４に沿ってずれて位置するように構成されている。なお、本実施形態に係る直線スリーブカバー取付補助具１は、図１に示した第１実施形態に係る直線スリーブカバー取付補助具１の構成に対応する部分に同一符号を付し、重複した説明を省略する。
【００３２】
本実施形態に係る直線スリーブカバー取付補助具１は、第１実施形態に係る直線スリーブカバー取付補助具１と同様の効果を得ることができる。
【符号の説明】
【００３３】
１……直線スリーブカバー取付補助具、２……絶縁ヤットコ、３……把持金具、４……中心軸、５……取付補助具本体部、６……接続ホルダ、７……取付部、８……直線スリーブカバー、８ａ……開口端、１０……折り返し部、２３……スリット、２４……架空電線、２５……スリーブ
【図１】
2018007508.tif 000003
【図２】
2018007508.tif 000004
【図３】
2018007508.tif 000005
【図４】
2018007508.tif 000006
【図５】
2018007508.tif 000007
【図６】
2018007508.tif 000008
【図７】
2018007508.tif 000009
【図８】
2018007508.tif 000010
【図９】
2018007508.tif 000011
【図１０】
2018007508.tif 000012
【図１１】
2018007508.tif 000013
【図１２】
2018007508.tif 000014
【図１３】
2018007508.tif 000015
【図１４】
2018007508.tif 000016
【図１５】
2018007508.tif 000017
【図１６】
2018007508.tif 000018
【図１７】
2018007508.tif 000019